(57)【要約】【課題】本発明は、フィルタ特性を低下させることなく、小型化することができるフィルタ装置を提供することを目的とするものである。【解決手段】本発明のフィルタ装置は、内部に空洞１１ｃを有する筐体１１と、この筐体１１の内部表面に取り付けた第１の共振棒１２とを備え、前記第１の共振棒１２の内部にローパスフィルタ２２を設けたもので、この構成によれば、共振棒の内部にローパスフィルタを設けているため、ローパスフィルタを設置するためのスペースを共振器と別に設ける必要はなくなり、これにより、共振器の容積が小さくなるということもないため、フィルタ特性を低下させることなく、フィルタ装置を小型化することができる。【選択図】図１
2008205558.tif 000002
【特許請求の範囲】
【請求項１】
内部に空洞を有する筐体と、この筐体の内部表面に取り付けた共振棒とを備え、前記共振棒の内部にローパスフィルタを設けたフィルタ装置。
【請求項２】
内部に空洞を有する筐体と、この筐体の内部表面に取り付けた第１の共振棒と、前記筐体の内部表面に取り付けた第２の共振棒とを備え、前記第１の共振棒の内部にローパスフィルタを設け、かつ前記第２の共振棒の内部に増幅器を設けたフィルタ装置。
【発明の詳細な説明】
【技術分野】
【０００１】
本発明は、特にマイクロ波、準マイクロ波通信装置等に使用されるフィルタ装置に関するものである。
【背景技術】
【０００２】
従来のこの種のフィルタ装置は、図４に示すような構成となっていた。図４において、１ａは金属製の箱体、１ｂはこの箱体１ａの上部開口部を閉塞する金属製の上蓋で、この上蓋１ｂと前記箱体１ａとにより内部に空洞１ｃを有する筐体１を構成している。２は前記筐体１の内部底面に取り付けた金属からなる円柱状の共振棒で、この共振棒２と前記筐体１とで共振器を構成し、そしてこの共振器を複数組み合わせてフィルタ特性を得ている。３は調整ボルトで、この調整ボルト３は前記筐体１における前記共振棒２の先端と対向する位置に取り付けられ、かつこの調整ボルト３の先端と共振棒２の先端との間の距離を調整することによって、共振器の共振周波数を調整している。４は筐体１の内部に取り付けた金属製の隔壁で、この隔壁４は前記共振器間の一部を遮ることにより、フィルタの帯域幅を規定している。５は段間調整ボルトで、この段間調整ボルト５は前記共振器間に配置され、フィルタ装置の帯域幅を調整するものである。６は小径の円柱と大径の円柱を交互に備えた金属製の内部導体で、この内部導体６は前記筐体１とともにローパスフィルタを構成し、かつこの内部導体６の一端は前記共振器の一つに容量結合させている。７は筐体１に取り付けた入力コネクタで、この入力コネクタ７は内部導体６の他端に接続している。８は筐体１に取り付けた出力コネクタで、この出力コネクタ８は結合用金具９を介して出力側の共振器と容量結合している。
【０００３】
以上のように構成されたフィルタ装置は、複数段の共振器で高周波信号のフィルタリングを行うとともに、高調波やスプリアスをローパスフィルタで除去し、フィルタリング後の高周波信号を増幅する増幅器（図示せず）と共に用いていた。
【０００４】
なお、この出願の発明に関する先行技術文献情報としては、例えば、特許文献１が知られている。
【特許文献１】特開２００２−３５９５０２号公報
【発明の開示】
【発明が解決しようとする課題】
【０００５】
しかしながら、上記した従来のフィルタ装置においては、挿入損失や減衰量などのフィルタ特性が共振器の容積に依存しているため、共振器の容積を小さくしてフィルタ装置を小型化した場合、フィルタ特性が低下してしまうという課題を有していた。
【０００６】
本発明は上記従来の課題を解決するもので、フィルタ特性を低下させることなく、小型化することができるフィルタ装置を提供することを目的とするものである。
【課題を解決するための手段】
【０００７】
上記目的を達成するために、本発明は以下の構成を有するものである。
【０００８】
本発明の請求項１に記載の発明は、内部に空洞を有する筐体と、この筐体の内部表面に取り付けた共振棒とを備え、前記共振棒の内部にローパスフィルタを設けたもので、この構成によれば、共振棒の内部にローパスフィルタを設けているため、ローパスフィルタを設置するためのスペースを共振器と別に設ける必要はなくなり、これにより、共振器の容積が小さくなるということもないため、フィルタ特性を低下させることなく、フィルタ装置を小型化することができるという作用効果を有するものである。
【０００９】
本発明の請求項２に記載の発明は、内部に空洞を有する筐体と、この筐体の内部表面に取り付けた第１の共振棒と、前記筐体の内部表面に取り付けた第２の共振棒とを備え、前記第１の共振棒の内部にローパスフィルタを設け、かつ前記第２の共振棒の内部に増幅器を設けたもので、この構成によれば、第１の共振棒の内部にローパスフィルタを設け、かつ第２の共振棒の内部に増幅回路を設けているため、ローパスフィルタおよび増幅器を設置するための専用のスペースを設ける必要はなく、また別途増幅回路を設置する必要もないため、通信機器を小型化することができるフィルタ装置を提供することができるという作用効果を有するものである。
【発明の効果】
【００１０】
以上のように本発明のフィルタ装置は、内部に空洞を有する筐体と、この筐体の内部表面に取り付けた共振棒とを備え、前記共振棒の内部にローパスフィルタを設けているため、ローパスフィルタを設置するためのスペースを共振器と別に設ける必要はなくなり、これにより、共振器の容積が小さくなるということもないため、フィルタ特性を低下させることなく、フィルタ装置を小型化することができるという優れた効果を奏するものである。
【発明を実施するための最良の形態】
【００１１】
（実施の形態１）
以下、実施の形態１を用いて、本発明の特に請求項１に記載の発明について説明する。
【００１２】
図１は本発明の実施の形態１におけるフィルタ装置の断面図である。
【００１３】
図１において、１１は略直方体形状の筐体で、この筐体１１は金属製の箱体１１ａと、この箱体１１ａの上部開口部を閉塞する金属製の上蓋１１ｂとにより構成され、かつ内部に空洞１１ｃを形成している。１２は筐体１１における空洞１１ｃの内部底面に取り付けた金属からなる中空円筒状の第１の共振棒で、この第１の共振棒１２は筐体１１とともに入力側の共振器１３を構成している。１４は筐体１１における空洞１１ｃの内部底面に取り付けた金属からなる円柱状の第２の共振棒で、この第２の共振棒１４は筐体１１とともに出力側の共振器１５を構成している。１６は金属製の調整ボルトで、この調整ボルト１６は前記筐体１１における第１の共振棒１２の先端および第２の共振棒１４の先端に対向する位置に取り付けられ、そして第１の共振棒１２に対向する調整ボルト１６の先端と第１の共振棒１２との間の距離を調整することによって入力側の共振器１３の共振周波数を調整し、さらに第２の共振棒１４に対向する調整ボルト１６の先端と第２の共振棒１４との間の距離を調整することによって出力側の共振器１５の共振周波数を調整するようにしている。
【００１４】
１７は筐体１１の内部に取り付けた金属製の隔壁で、この隔壁１７は入力側の共振器１３と出力側の共振器１５との間の一部を遮ることによりフィルタ装置の帯域幅を規定するものである。１８は金属製の段間調整ボルトで、この段間調整ボルト１８は、筐体１１における入力側の共振器１３と出力側の共振器１５との間に取り付けられ、そして入力側の共振器１３と出力側の共振器１５との間の空間の一部を遮ることによりフィルタ装置の帯域幅を調整するものである。１９は入力コネクタで、この入力コネクタ１９は筐体１１における第１の共振棒１２を取り付けた位置に貫通穴２０を設けて取り付けているものである。２１は小径の円柱と大径の円柱を交互に備えた金属製の内部導体で、この内部導体２１はその一端を入力コネクタ１９に接続して固定し、そして前記貫通穴２０を通して第１の共振棒１２の内部に挿入しているもので、この内部導体２１と第１の共振棒１２の内壁面とでローパスフィルタ２２を構成している。また、この内部導体２１は先端部を第１の共振棒１２の先端部から突出させて入力側の共振器１３に容量結合させているものである。２３は筐体１１に取り付けた出力コネクタで、この出力コネクタ２３は結合用金具２４を介して出力側の共振器１５に容量結合させているものである。
【００１５】
上記のように構成されたフィルタ装置は、入力側の共振器１３と出力側の共振器１５とを組み合わせて高周波信号のフィルタ特性を得るものであり、ローパスフィルタ２２で高調波およびスプリアスを除去するものである。
【００１６】
以上のように本発明の実施の形態１におけるフィルタ装置は、従来、入力側の共振器１３の外部に設けていたローパスフィルタを第１の共振棒１２の内部に設けているため、フィルタ装置を構成する共振器の容積が小さくなるということはなくなり、これにより、フィルタ特性を低下させることなく、フィルタ装置を小型化することができるという効果を有するものである。
【００１７】
なお、上記した本発明の実施の形態１においては、図１に示すように第１の共振棒１２の中心軸と調整ボルト１６の中心軸とを一致させているが、図２に示すように、第１の共振棒１２の軸心と調整ボルト１６の軸心とをずらせても良いものである。このようにすれば、調整ボルト１６の先端と内部導体２１の先端とが接触する恐れがなくなるため、筐体１１の高さを高くすることなく第１の共振棒１２の内部にローパスフィルタ２２を内蔵することが可能となるものである。
【００１８】
また、上記した本発明の実施の形態１においては、入力側の共振器１３と出力側の共振器１５とから構成される２段の共振器によるフィルタ装置について説明したが、入力側の共振器１３と出力側の共振器１５との間にさらに複数の共振器を備えたフィルム装置としても良いものである。
【００１９】
そしてまた、上記した本発明の実施の形態１においては、入力側の共振器１３における第１の共振棒１２にローパスフィルタ２２を内蔵したフィルタ装置について説明したが、出力側の共振器１５における第２の共振棒１４の内部にローパスフィルタを内蔵したフィルタ装置としても良いものである。
【００２０】
（実施の形態２）
以下、実施の形態２を用いて、本発明の特に請求項２に記載の発明について説明する。
【００２１】
図３は本発明の実施の形態２におけるフィルタ装置の断面図を示したもので、この実施の形態２においては、上記図１、図２で示した本発明の実施の形態１におけるフィルタ装置と同じ構成部品については同一番号を付しており、その詳細は省略する。
【００２２】
本発明の実施の形態２が上記した本発明の実施の形態１と相違する点は、図３からも明らかなように、出力側の共振器１５を構成する第２の共振棒２５の内部に増幅器２６を内蔵した点である。
【００２３】
すなわち、本発明の実施の形態２におけるフィルタ装置は、図３に示すように、第２の共振棒２５を中空円筒状の金属部材から構成し、そしてこの第２の共振棒２５の内部に増幅器２６を設けたものである。この増幅器２６は、基板の表面に半導体や受動電子部品を実装したものからなり、その内部には増幅回路と、この増幅回路を駆動するための電圧を重畳するバイアス回路とを備えているものである。また、この増幅器２６の入力側には結合用金具２７を接続し、そしてこの結合用金具２７の先端部を第２の共振棒２５の先端部から突出させて出力側の共振器１５と容量結合させ、さらにこの増幅器２６の出力側には出力コネクタ２８を接続して固定しているものである。そして、この増幅器２６に結合用金具２７を固定した状態で、筐体１１に設けた貫通穴２９から増幅器２６を第２の共振棒２５の内部に挿入し、そして出力コネクタ２８を筐体１１に固定することによって増幅器２６を固定しているものである。このような固定方法とすることにより、増幅器２６を交換する場合であっても、フィルタ装置全体を調整し直す必要がなく、第２の共振棒２５に対向する調整ボルト１６を調整し直すだけでよいため、増幅器２６の交換作業が容易となるものである。また、本発明の実施の形態２においては、第２の共振棒２５に対向する調整ボルト１６と増幅器２６に固定した結合用金具２７とが接触しないように、第２の共振棒２５の中心軸と調整ボルト１６の中心軸とをずらした位置関係にしているもので、このようにすることにより、筐体１１の高さを高くすることなく、増幅器２６を内蔵することが可能となるものである。
【００２４】
以上のように本発明の実施の形態２におけるフィルタ装置は、従来、フィルタ装置とは別に設けていた増幅器２６をフィルタ装置の容積を増大させることなしに内部に取り込んでいるため、フィルタ装置を内蔵する通信機器を小型化することができるという効果を有するものである。
【００２５】
なお、上記した本発明の実施の形態２においては、第１の共振棒１２の内部にローパスフィルタ２２を内蔵して入力側の共振器１３にローパスフィルタ２２を容量結合するとともに、第２の共振棒２５の内部に増幅器２６を内蔵して出力側の共振器１５に増幅器２６を容量結合したフィルタ装置について説明したが、第１の共振棒１２の内部に増幅器２６を内蔵して入力側の共振器１３に増幅器２６を容量結合するとともに、第２の共振棒２５の内部にローパスフィルタ２２を内蔵して出力側の共振器１５にローパスフィルタ２２を容量結合したフィルタ装置としても良いものである。
【産業上の利用可能性】
【００２６】
本発明に係るフィルタ装置は、内部に空洞を有する筐体と、この筐体の内部表面に取り付けた共振棒とを備え、前記共振棒の内部にローパスフィルタを設けた構成とすることにより、フィルタ特性を低下させることなく、フィルタ装置を小型化することができるという効果を有するものであり、特にマイクロ波および準マイクロ波通信装置等に用いることにより有用となるものである。
【図面の簡単な説明】
【００２７】
【図１】本発明の実施の形態１におけるフィルタ装置の断面図
【図２】同フィルタ装置の他の例を示す断面図
【図３】本発明の実施の形態２におけるフィルタ装置の断面図
【図４】従来のフィルタ装置の断面図
【符号の説明】
【００２８】
１１  筐体
１１ｃ  空洞
１２  第１の共振棒
１４  第２の共振棒
２２  ローパスフィルタ
２５  第２の共振棒
２６  増幅器
【図１】
2008205558.tif 000003
【図２】
2008205558.tif 000004
【図３】
2008205558.tif 000005
【図４】
2008205558.tif 000006